(57)【特許請求の範囲】
【請求項１】
スロットの周囲の金属をアンテナパターンとして備えるスロットアンテナを有する携帯型無線機用アンテナであって、
前記スロットアンテナは、その全長が該スロットアンテナにて使用される周波数に固有の波長に対応する長さであるとともに、前記スロットと前記アンテナパターンとが共々、少なくとも１カ所にて折り返され、
ａ．この折り返し部分では、同折り返し部分を挟んだ前記スロット同士および前記アンテナパターン同士のなす角が同一平面上にて９０度となるように折り返された後、さらにこれらスロット同士およびアンテナパターン同士のなす角が同じく同一平面上にて９０度となるように折り返されることで、当該折り返しにより内側となるアンテナパターン同士が離間して設けられること、および
ｂ．スロットおよびアンテナパターンの折り返し部分に向かう方向のアンテナ長さがその方向に垂直な方向のアンテナ長さよりも長い形状を有すること、および
ｃ．この長い形状を有する前記折り返し部分に向かう方向のアンテナ長さが同一とされること、および
ｄ．前記折り返し部分を挟んで対向する前記アンテナパターンには整合用コンデンサが接続されてなること、
が満たされる態様で形成されてなることを特徴とする携帯型無線機用アンテナ。
【発明の詳細な説明】
【０００１】
【発明の属する技術分野】
この発明は携帯型無線機用アンテナに関し、例えば、生体信号を無線送信するための通信用アンテナとして用いると好適なものである。
【０００２】
【従来の技術】
従来、腕時計型の携帯無線機において筐体の大きさの制約から腕時計のリング部を利用し、スロットアンテナを組み込んだものがある（例えば、伊藤、松沢、内藤：「移動体通信におけるアンテナの解析・設計技術」、５章５．２節、（株）トリケップス、１９９５）。
【０００３】
しかし、更なる性能向上が望まれている。
【０００４】
【発明が解決しようとする課題】
そこで、この発明の目的は、更なる性能向上を図ることができる携帯型無線機用アンテナを提供することにある。
【０００５】
【課題を解決するための手段】
請求項１に記載の発明は、スロットの周囲の金属をアンテナパターンとして備えるスロットアンテナを有する携帯型無線機用アンテナであって、このスロットアンテナは、その全長が該スロットアンテナにて使用される周波数に固有の波長に対応する長さであるとともに、スロットとアンテナパターンとが共々、少なくとも１カ所にて折り返され、該スロットアンテナは、（ａ）折り返し部分では、同折り返し部分を挟んだスロット同士およびアンテナパターン同士のなす角が同一平面上にて９０度となるように折り返された後、さらにこれらスロット同士およびアンテナパターン同士のなす角が同じく同一平面上にて９０度となるように折り返されることで、当該折り返しにより内側となるアンテナパターン同士が離間して設けられること、および（ｂ）スロットおよびアンテナパターンの折り返し部分に向かう方向のアンテナ長さがその方向に垂直な方向のアンテナ長さよりも長い形状を有すること、および（ｃ）この長い形状を有する折り返し部分に向かう方向のアンテナ長さが同一とされること、および（ｄ）折り返し部分を挟んで対向するアンテナパターンには整合用コンデンサが接続されること、が満たされる態様で形成されることを特徴としている。
【０００６】
よって、アンテナ長を稼ぐことによりアンテナ効率を向上することができる。
つまり、従来の携帯型無線機においては、指輪の場合には、単純なスロットアンテナをリング部に収めようとした場合、アンテナ長の不足に伴いアンテナ効率が低下してしまう欠点があるが、スロットアンテナのスロット形状を変えることにより、アンテナ効率を向上させることができる。
しかも、スロットアンテナの備えるスロットとアンテナパターンとが共々少なくとも１カ所にて折り返されるとともに、上記（ａ）〜（ｄ）に記載の条件が満たされる態様で該スロットアンテナが形成されることにより、スロットアンテナの電界成分を増強することができ、スロットアンテナに電流アンテナとしての特性を持たせることが可能となる。
【００１３】
【発明の実施の形態】
（第１の比較例）
以下、この発明を具体化した第１の比較例を図面に従って説明する。
【００１４】
図１には、本比較例における携帯型無線機１を示す。この携帯型無線機１は指輪型送信器であって、人の指に装着され、光を利用して血管中の血液の流れを検出して電波にして送る装置である。つまり、光を応用した脈波計測信号を生成し、アンテナから送信するものである。
【００１５】
図１は、携帯型無線機（指輪型送信器）１を、正面と平面と右側面から見た図である。指輪型送信器１は、指を入れるリング部（指入れ部）２と、このリング部２に固定された四角板状の台座部３からなる。リング部２は、芯材４を有し、芯材（バンド）４はゴム製または布製の帯を円環状にしたものである。この芯材４の内周面には計測系フレキシブル基板５が固定され、計測系フレキシブル基板５にはＬＥＤ６とフォトダイオード７が固定されている。そして、ＬＥＤ６から指の血管に向けて光が照射され、その反射光がフォトダイオード７にて受光され、電気信号に変換される。このようにして、ＬＥＤ６とフォトダイオード７により脈波信号が計測される。
【００１６】
台座部３はプリント基板８を有する。プリント基板８の上面には送信回路９が実装され、この送信回路９から前述の脈波信号が出力される。
前述のリング部２において芯材４の外周面には送信用のスロットアンテナ１０が設けられている。つまり、リング部２においては芯材４の内側に計測系フレキシブル基板５が、また、芯材４の外側にスロットアンテナ１０が配置されている。さらに、台座部３において、プリント基板８の上には他のアンテナ素子としてのパターンアンテナ（マイクロストリップアンテナ）１１が設けられ、パターンアンテナ１１が送信用アンテナとして機能する。このように、送信用アンテナは、台座部３のパターンアンテナ１１とリング部２のスロットアンテナ１０で構成されている。
【００１７】
なお、図１においては図２に示すごとくリング部２は完全に環状になっていたが、図３に示すように、リング部２は途中で分離するような構造であってもよい。図３の符号２ａ，２ｂに示す部材は、バンド止め具である。
【００１８】
以下、スロットアンテナ１０とパターンアンテナ１１について詳しく説明する。
図４には、パターンアンテナ１１を示す。図４において、絶縁基板２０の裏面には導体２１が全面に形成されている。絶縁基板２０の表面には帯状のアンテナパターン２２が延設されている。帯状のアンテナパターン２２の一端が給電線２３と接続されている。
【００１９】
図５には、スロットアンテナ１０を展開図として示す。つまり、帯状をなすスロットアンテナ１０は、その長手方向にリング状に巻かれて使用される（図１参照）。図５において、帯状をなすフレキシブル基板（裏材）３０はポリイミド膜よりなる。フレキシブル基板３０の上に粘着層３１を介して銅箔３２が形成されている。銅箔３２にはスロット（溝）３３が形成され、銅箔３２が細長い四角環状となっている。この銅箔３２は給電線と接続されている。また、細長い四角環状の銅箔３２においてその中央部には整合用コンデンサ３４が設けられている。
【００２０】
銅箔３２の厚さは０．０３５ｍｍ、粘着層３１の厚さは０．０１０ｍｍ、裏材のフレキシブル基板３０の厚さは０．０２５ｍｍである。また、フレキシブル基板３０は幅Ｗが８．０ｍｍであり、長さＬが６０ｍｍである。スロット３３の長さは、使用する電波の波長をλとすると、λ／４である。
【００２１】
なお、図５のスロットアンテナ１０の形状はスロット長がリング部２内に収まる場合の例である。
図１の送信回路９の出力は、台座部３のパターンアンテナ１１と、リング部２のスロットアンテナ１０に並列に接続されている。パターンアンテナ１１とスロットアンテナ１０は各々１００Ωにインピーダンスマッチングをとり、並列に接続することで送信回路の出力インピーダンス５０Ωに整合をとっている。
【００２２】
図１の台座部３におけるパターンアンテナ１１は、図４の基板２０と水平な主偏波成分を持ち、人体から離れた場所でアンテナ効率が良くなる。また、リング部２のスロットアンテナ１０は、リング部２に水平な主偏波成分を持ち、人体近傍でアンテナ効率が良くなる。つまり、表１に示すように、パターンアンテナ１１においては主偏波成分が台座部３に水平であり、また、アンテナ特性が人体から離れると効率がよい（電流アンテナ）。一方、スロットアンテナ１０においては主偏波成分が台座部３に垂直であり、また、アンテナ特性が人体近傍で効率がよい（磁流アンテナ）。
【００２３】
【表１】
このように、本比較例は下記の特徴を有する。
（イ）リング部２及び台座部３からなる指輪形状の携帯型無線機１において、リング部２にスロットアンテナ１０を設け、かつ、台座部３に、スロットアンテナ１０とは放射パターンの異なる他のアンテナ素子のパターンアンテナ１１を設けたので、２つのアンテナ１０，１１を使用してアンテナ効率を向上することができる。
【００２４】
詳しくは、リング部２にスロットアンテナ１０を、台座部３にパターンアンテナ１１という構成にすることで人体近傍はもちろん離れたところでもアンテナ効率が良く、指向性が良好なアンテナにすることができる。より詳しくは、台座部３において台座部３に水平な主偏波成分を持ち、人体から離れると効率の良いパターンアンテナ１１を設置し、スロットアンテナ１０と並列接続をする。これにより、指輪がどのように向いても垂直水平両偏波を放出することができる。つまり、単純なスロットアンテナ１０に対し容易に指向性を合成することができ、人体近傍および離れた場所でも良好なアンテナ効率を得ることができる。このようにして、従来の携帯型無線機においては、リング部のみの一つのアンテナでは垂直（台座に水平）な偏波の放射効率が弱くなるという欠点があるが、２つのアンテナ１０，１１を使用して、二種類の放射パターンにてアンテナ効率を向上することができる。
（第２の比較例）
次に、第２の比較例を、第１の比較例との相違点を中心に説明する。
【００２５】
本例でも図１のように携帯型無線機１は、リング部２及び台座部３からなる指輪形状を有し、リング部２にスロットアンテナ１０を設け、かつ、台座部３に、他のアンテナ素子としてのパターンアンテナ１１を設けたものとなっている。
【００２６】
図６，７には、本比較例におけるスロットアンテナ１０の平面図を示す。
スロット長がリング部２に収まらない場合、銅箔４２に対しスロット（溝）４０をジグザグに折り返す形状に形成し、これによりスロット長を稼ぎ、使用する周波数に対応するスロット長を確保している。図６（ａ），（ｂ），（ｃ）はそれぞれ長手方向に折り返した例である。図６（ａ）はスロット（溝）４０を１回折り返したものであり、図６（ｂ）はスロット４０を２回折り返したものであり、図６（ｃ）はスロット４０を３回折り返したものである。図６（ａ）はスロット長が約１／８λであり、図６（ｂ）はスロット長が約３／１６λであり、図６（ｃ）はスロット長が約１／４λである。また、図６（ａ），（ｂ），（ｃ）はＬ＝６０ｍｍ、Ｗ＝８ｍｍである。図７においては、スロット４０を横手方向に折り返している。
【００２７】
スロットを折り返す場合、図６，７のように、整合用のコンデンサ４１は、スロット４０の中央に設置するのがよい。コンデンサ４１の設置箇所は図１での台座部３の真下となっている。
【００２８】
ここで、整合用コンデンサ４１をスロット４０の中央に設置したのは、以下の理由による。コンデンサ４１の設置位置が台座部３の真下となり、突起部となるコンデンサ４１が台座部３により隠れ、リング部２の外周面に凹凸を生じさせることなくコンデンサ４１を設置する空間が容易に確保できる。また、コンデンサ４１を中心にパターンアンテナ１１が対称であるとインピーダンスのマッチングがとりやすい。
【００２９】
図８に、図６（ａ），（ｂ），（ｃ）に示すスロットアンテナの人体装着時の相対利得を示す。図８の縦軸にアンテナ利得をとり、横軸にスロットアンテナの種類をとっている。この図８からスロット長が大きいほどアンテナ利得を向上させることができることが分かる。ゆえに、十分にスロット長を得ることができれば、アンテナ効率を向上することができるといえる。
【００３０】
なお、本例でも送信回路９の出力は、台座部３のパターンアンテナ１１と、リング部２のスロットアンテナ１０に並列に接続され、全体として両放射パターン（指向性）を合成した放射パターン（指向性）を有している。
【００３１】
このように、本比較例は下記の特徴を有する。
（イ）携帯型無線機に用いられるスロットアンテナ１０を、スロット４０が折り返される形状に形成することにより、使用する周波数に対応するスロット長を確保するようにしたので、アンテナ長を稼ぐことによりアンテナ効率を向上することができる。つまり、従来の携帯型無線機（リング部に単にスロットアンテナを組み込んだもの）においては、指輪の場合には、単純なスロットアンテナをリング部に収めようとした場合、アンテナ長の不足に伴いアンテナ効率が低下してしまう欠点があるが、スロットアンテナのスロット形状を変えることにより、アンテナ効率を向上させることができる。
（ロ）ここで、リング部２を備えた指輪形状を有する携帯型無線機において、（イ）のスロットアンテナ１０を、リング部２に配置したので実用上好ましい。
（ハ）特に、携帯型無線機１には、スロットアンテナ１０の放射パターンとは異なる放射パターンを有する他のアンテナ素子１１がさらに設けられ、スロットアンテナ１０の放射パターンと他のアンテナ素子１１の放射パターンとを合成した放射パターンを有するものとしたので、２つのアンテナ１０，１１を使用してアンテナ効率を向上することができる。つまり、従来の携帯型無線機においては、リング部のみの一つのアンテナでは垂直（台座に水平）な偏波の放射効率が弱くなるという欠点があるが、２つのアンテナを使用して、二種類の放射パターンを有しアンテナ効率を向上することができる。
（第３の比較例）
次に、第３の比較例を、第１の比較例との相違点を中心に説明する。
【００３２】
図９には、本比較例におけるスロットアンテナの平面図を示す。
図９（ａ）には、スロットアンテナ１０におけるフレキシブル基板３０の裏面でのパターンを示すとともに、図９（ｂ）には、フレキシブル基板３０の表面でのパターンを示す。図９（ａ）に示すように、フレキシブル基板３０の裏面において銅箔アンテナパターン５０，５１が外周側に形成されている。また、図９（ｂ）に示すように、フレキシブル基板３０の表面において銅箔アンテナパターン５２，５３が内周側に形成されている。パターン端部５０ａと５２ａ、５０ｂと５３ａ、５１ａと５２ｂ、５１ｂと５３ｂは、それぞれ、基板３０に形成したスルーホールにて接続されている。
【００３３】
このように、スロットアンテナ１０のアンテナパターン（５０，５１，５２，５３）をリング部２の表裏に配置すると、アンテナパターンを配置するための領域が拡大されるので、給電線や給電線とアンテナパターンを接続するためのジャンパもパターン化できる。これにより、アンテナパターン及び給電線のインピーダンスの調整が容易となる。詳しくは、アンテナパターン５０，５１，５２，５３を表裏両面に分けて配置することで、試作時にアンテナインピーダンスをジャンパにより容易に調整でき、ジャンパをパターンに変えることにより、そのままインピーダンス固定でき、量産容易な構成を実現することができる。
【００３４】
図９（ａ）に示すように、フレキシブル基板３０の裏面において銅箔給電パターン５４，５５が形成されている。このように、給電線をパターン化することにより、フレキシブル基板３０の端点で給電でき、送信回路との接続が容易である。
【００３５】
また、フレキシブル基板３０の裏面において給電点調整用ジャンパ５６がパターニングされ、このジャンパ５６にて銅箔給電パターン５４と銅箔アンテナパターン５０が接続されている。同様に、給電点調整用ジャンパ５７がパターニングされ、このジャンパ５７にて銅箔給電パターン５５と銅箔アンテナパターン５１が接続されている。
【００３６】
なお、リング部２は、フレキシブル基板３０にアンテナパターン５０〜５３、給電パターン５４，５５及びジャンパ５６，５７を印刷等によってパターン形成することにより形成される。その後、樹脂等の保護膜が表裏両面に形成されて、リング部２とする。
【００３７】
そして、給電パターン５４，５５の一端のパッド５４ａ，５５ａには送信回路（発振回路）９からの高周波信号が入力され、パッド５４ａ，５５ａから、給電パターン５４，５５、ジャンパ５６，５７、アンテナパターン５０，５１を経て、アンテナパターン５２，５３に至る。このように給電パターン５４，５５にてアンテナパターン５０，５１，５２，５３に給電される。
【００３８】
また、図９（ａ）のフレキシブル基板３０の裏面において整合用コンデンサ５８が配置され、同コンデンサ５８がアンテナパターン５２と５３との間において基板３０に形成したスルーホールを通して電気的に接続されている。また、図９（ａ）のフレキシブル基板３０の裏面において、給電パターン５４の途中には抵抗５９が配置されている。
【００３９】
このように、本比較例は下記の特徴を有する。
（イ）スロットアンテナ１０は、リング部２（基板３０）の表裏両面に所定のパターンに配置されたアンテナパターン５０，５１，５２，５３と、リング部２の表裏面の少なくとも一方に設けられ、アンテナパターン５０〜５３に給電する給電パターン５４，５５とからなるものとしたので、実用上好ましい。
（ロ）アンテナのパターン５０〜５３をフレキシブル基板３０の表裏両面に分けて配置し、アンテナインピーダンスをジャンパにより調整できるようにし、ジャンパをパターン（５６，５７）に変えて、そのままインピーダンス固定できるようにしたので、実用上好ましい。
（第４の比較例）
次に、第４の比較例を、第３の比較例との相違点を中心に説明する。
【００４０】
図１０には、本比較例におけるスロットアンテナの平面図を示す。
図１０（ａ）には、スロットアンテナ１０におけるフレキシブル基板３０の裏面でのパターンを示すとともに、図１０（ｂ）には、フレキシブル基板３０の表面でのパターンを示す。図１０（ａ）に示すように、フレキシブル基板３０の裏面において銅箔アンテナパターン６０，６１，６２が形成されている。また、図１０（ｂ）に示すように、フレキシブル基板３０の表面において銅箔アンテナパターン６３，６４，６５が形成されている。パターン端部６０ａと６４ａ、６０ｂと６３ａ、６２ａと６３ｂ、６１ａと６４ｂ、６１ｂと６５ｂ、６２ｂと６５ａは、それぞれ、基板３０に形成したスルーホールにて接続されている。
【００４１】
フレキシブル基板３０の裏面において銅箔給電パターン６６が形成されるとともに、フレキシブル基板３０の表面において銅箔給電パターン６７が形成されている。給電パターン６６と６７は基板３０の表と裏に重ねて配置されている。また、給電パターン６６，６７は基板３０の端点で給電できるようになっている。さらに、フレキシブル基板３０の裏面においてパターニングされた給電点調整用ジャンパ６８にて銅箔給電パターン６６と銅箔アンテナパターン６０が接続されている。同様に、フレキシブル基板３０の表面においてパターニングされた給電点調整用ジャンパ６９にて銅箔給電パターン６７と銅箔アンテナパターン６５が接続されている。
【００４２】
そして、給電パターン６６，６７の一端には送信回路９からの高周波信号が入力され、給電パターン６６，６７、ジャンパ６８，６９、アンテナパターン６０，６５を経て、アンテナパターン６３，６４，６１，６２に至る。
【００４３】
また、図１０（ａ）のフレキシブル基板３０の裏面において整合用コンデンサ５８が配置され、同コンデンサ５８がアンテナパターン６３と６４との間において基板３０に形成したスルーホールを通して電気的に接続されている。
【００４４】
また、銅箔給電パターン６６，６７の配置部分においてその一方の給電部分はフレキシブル基板３０が細長く形成されている。つまり、フレキシブル基板３０の端部が帯状をなし、この上に給電パターン６６，６７が延設されている。この細い部位７０が給電線として機能し、細い部位７０の端部が送信回路（発振回路）９と直接、接続されている。
【００４５】
この図１０に示すように、給電線を表と裏に重ねて配置することでインピーダンスを規定値に保つことも容易である。また、基板３０での給電線の部分のみを細く延長することにより、アンテナ本体を指輪のベルト内に収納し、そのまま指輪本体内の送信回路と接続することが可能となる。
【００４６】
また、給電線をリング部２の表裏に重ねて配置すると、インピーダンスの変動を招くような相互作用を排除でき、インピーダンスを規定値に保つことができる。なお。台座部３に設けられた送信回路９のインピーダンス、給電線のインピーダンス及びアンテナパターンのインピーダンスが例えば５０Ωにマッチングされていると、送信出力は最も効率良くアンテナから送出される。しかし、例えば給電線のインピーダンスがその値からずれると、送信出力の反射が生じて送信出力が低下してしまう。このように、アンテナパターンだけでなく、給電線のインピーダンスも整合をとる必要がある。
【００４７】
このように、本比較例は下記の特徴を有する。
（イ）給電パターン６６，６７は、リング部２の表裏両面にそれぞれ設けられるものとしたので、実用上好ましい。
（ロ）特に、給電線（６６，６７）をパターン化してアンテナ基板３０の端点で給電できるようにするとともに、表と裏に重ねて配置してインピーダンスを規定値に保持するようにしたので、実用上好ましい。
（ハ）フレキシブル基板３０での給電線の部分７０のみを延長し、当該延長部位７０を送信回路と接続したので、実用上好ましい。
【００４８】
なお、これまで説明してきた各比較例においてはスロットアンテナとパターンアンテナとを組み合わせて使用したが、スロットアンテナのみで使用してもよい。
【００４９】
また、スロットアンテナの形状は、完全につながった円環状であっても、一部が切れた円環状であっても、円環における所定角度（例えば、９０°や６０°等）だけを用いたものであってもよい。
（第５の比較例）
次に、第５の比較例を、第１の比較例との相違点を中心に説明する。
【００５０】
図１１に示すように、本比較例における携帯型無線機１も、リング部２及び台座部３からなる指輪形状を有する。リング部２にはスロットアンテナ８０が配置されている。台座部３において無線回路基板（ポリイミド製基板）８にはグランド面パターン８１が形成されるとともに、送信回路８２が設けられている。
グランド面パターン８１および送信回路８２はリング部２のスロットアンテナ８０とグランド用および信号用給電線（図示略）にて接続されている。そして、グランド電位を規定するためのグランド面パターン８１は、スロットアンテナ８０の一箇所にグランド電位を与える。また、スロットアンテナ８０の他の一箇所に高周波信号が入力されるようになっている。
【００５１】
なお、図１１においてはリング部２は完全に環状になっていたが、図１２に示すように、リング部２は途中で分離するような構造であってもよい。図１２の符号２ａ，２ｂに示す部材は、バンド止め具である。
【００５２】
図１３には、本比較例におけるリング部アンテナとして用いるスロットアンテナ８０の平面図（展開図）を示す。
図１３において、スロットアンテナ８０は、２本の長辺パターン（銅箔）８３ａ，８３ｂが対向して配置されている。また、２本の短辺パターン（銅箔）８４ａ，８４ｂが長辺パターン８３ａ，８３ｂの端部同士を接続している。各辺８３ａ，８３ｂ，８４ａ，８４ｂにて囲まれた領域８５がスロットである。さらに、２本の長辺パターン８３ａ，８３ｂ同士が整合用コンデンサ８６を介して接続されている。また、スロットアンテナ８０への給電は給電点８７ａ，８７ｂを通して不平衡線路を使用し、さらにバラン等を用いず不平衡電流を許すものとしている。このようにしてスロットアンテナ８０がグランド面パターン８１と結合している。そして、スロットアンテナ８０をリング部２に使用することで送信回路・グランド面パターンと物理的に離れた配置となる。
【００５３】
このように、磁流アンテナ素子であるスロットアンテナ８０への給電において不平衡電流を許すことで、無線回路基板８のグランド面パターン８１を、該磁流アンテナ素子と結合する電流アンテナ素子の一部として利用している。また、スロットアンテナ８０を無線回路基板８から離して配置することで、電流アンテナとしても効率よく動作する。つまり、このアンテナは図１４に示すように磁流型のスロットアンテナと、電流型のダイポールアンテナの２つのモードがあり、垂直水平両偏波を放出し、人体近傍および離れた所でも利得に優れる。即ち、電流アンテナは、人体が遠くにあるときに利得が向上する性質を有し、一方で磁流アンテナは人体の近傍にあるときに利得が向上する性質を有するので、結果として、指輪型アンテナを指に装着した際に、人体に対する位置関係に係わらず優れた利得のアンテナとすることができる。
【００５４】
また、パターンアンテナ等を新たに設ける必要がなく、部品数、スペースの面で優れている。
以下、詳しく説明する。
【００５５】
２つのループアンテナを使用することで垂直・水平偏波を放出し、さらに指向性を改善することが提案されている（特開平７−２３１２１７号公報）。また、人体近傍で特性のよくなる磁界型モードに電界型モードを加えたアンテナが提案されている（昭和５９年度電子通信学会光・電波部門全国大会、１−８１頁、「スロット・ダイポールアンテナ」）。しかしながら、この方法ではアンテナ素子が２つ必要となり、部品点数、スペースが増えるという問題がある。また、２つのループアンテナを使用する場合、磁流アンテナを用いているため、人体近傍で使用している時は利得が向上するが、人体から１／４波長離れた点では利得が落ちるという問題点がある。さらに、電界型モードを加える場合もアンテナサイズが大きくなる問題点がある。
【００５６】
これに対し、本比較例においては、磁流アンテナを基本としつつ、もとから存在するグランド面パターン８１とこのアンテナ８０が形成する電流アンテナのモードを追加している。このような構成とすることにより、２つのアンテナ素子を使用すること無く垂直・水平偏波を放射するとともに、磁流アンテナと電流アンテナの特性が補い合い、人体近傍および若干離れた所でも利得に優れるアンテナ特性を得ることができる。
【００５７】
以上のごとく、２つのアンテナ素子を使用すること無く垂直・水平偏波を放射するとともに磁流アンテナと電流アンテナの特性が補い合い、人体近傍および離れた所でも利得に優れるアンテナ特性を得ることができる。
（第６の比較例）
次に、第６の比較例を、第５の比較例との相違点を中心に説明する。
【００５８】
図１５には、図１３に代わる本比較例のスロットアンテナの平面図を示す。
本比較例においては、磁流アンテナとしてのスロットアンテナを磁界成分に加え電界成分を強く生成するように工夫し、より積極的に不平衡電流を許すようにしている。スロットアンテナの電界成分を強くすると、本来の磁流アンテナとしての特性に加え、電流アンテナとしての特性もより付与することが可能となる。
【００５９】
図１５において、２本の長辺パターン８３ａ，８３ｂと２本の短辺パターン８４ａ，８４ｂに関して、２本の短辺パターン８４ａ，８４ｂ同士が整合用コンデンサ８８を介して接続されている。詳しくは、接続線８９ａ，８９ｂを通して接続されている。
【００６０】
図１３に示すスロットアンテナの場合、スロット長方向に磁界成分が発生し、スロット幅方向に電界成分が発生する。これに対し、図１５に示すようなスロット幅Ｗの広いスロットアンテナを使用することで、スロット幅方向に長くなり、電界が強く発生する。このような形状にすることで、本来、磁流アンテナであるスロットアンテナが、磁界成分を弱める代わりに電界成分を強く生成できるようになる。つまり、スロットアンテナのスロット幅Ｗが広くなるように構成すると、本来、磁流アンテナであるスロットアンテナの電界成分を強くすることができる。
【００６１】
スロットアンテナが電界成分を強く生成すると送信回路・グランド面パターンとの結合が容易となり、スロットアンテナとグランド面パターン８１が形成する電流アンテナのダイポールアンテナのモードがより付加できる。
【００６２】
ここで、スロットアンテナの長手方向がスロット幅Ｗになるか、若しくはスロット長Ｌになるかは、整合用コンデンサの接続位置に依存する。つまり、図１３のように長辺パターン８３ａ，８３ｂ同士を整合用コンデンサ８６で接続すると、短辺部分がスロット幅Ｗとなり、図１５のように短辺パターン８４ａ，８４ｂ同士を接続すると、長辺部分がスロット幅Ｗとなる。なお、給電位置は、単にインピーダンスマッチングをとるために変更されているだけでスロット幅Ｗの設定方向に対する影響はない。
【００６３】
このように本比較例は下記の特徴を有する。
（イ）電界成分を強く生成すべく、スロットアンテナの幅Ｗを広くした。具体的には、スロットアンテナは、対向して配置された少なくとも２本の長辺パターン８３ａ，８３ｂと、この２本の長辺パターン８３ａ，８３ｂの端部同士を接続する少なくとも２本の短辺パターン８４ａ，８４ｂと、を備え、２本の短辺パターン８４ａ，８４ｂ同士を整合用コンデンサ８８を介して接続した。
（実施の形態）
次に、本発明の実施の形態を、第５の比較例との相違点を中心に説明する。
【００６４】
図１３に代わる本実施形態のスロットアンテナパターン（銅箔）を、図１６に示す。つまり、図１６の（ａ），（ｂ），（ｃ）のいずれかを使用する。この図のように、スロットアンテナは、スロット９１が折り返され、かつそのスロット９１の端部からスロット９１の折り返し部分に向かう方向のアンテナの長さが、その方向に垂直な方向のアンテナの長さよりも長い形状を有し、折り返し部分において対向して配置されたアンテナパターン９０同士を整合用コンデンサ（共振用コンデンサ）９２を介して接続することにより、スロットアンテナの電界成分を強くしている。
【００６５】
つまり、図６（ａ），（ｂ），（ｃ）に示したスロット４０を折り返したスロットアンテナは、整合用コンデンサ４１に接続されたスロット間のアンテナパターン（図６でのコンデンサ４１に対し上下のスロット間のアンテナパターン）を接続線と考えれば、本実施形態のアンテナの構造と均等な構造を有することとなる。即ち、図６（ａ），（ｂ），（ｃ）に示したスロットを折り返したスロットアンテナにおいても、電界成分を強め、電流アンテナとしての特性を持たせることができる。
【００６６】
この図１６に示したように、アンテナ長Ｌを稼ぐためにスロットを折り返したアンテナを用いるとともに、同折り返したスロットアンテナを図１１のリング部２のアンテナとしても、スロットアンテナとして電気的には第６の比較例と等価であるため、第６の比較例と同様な効果を得ることができる。
【００６７】
以上のごとく、スロットを折り返すことでアンテナ長Ｌを稼ぎ、使用する周波数（この場合は３００ＭＨｚ）に対応するアンテナ長が確保できる。また、アンテナ長Ｌを確保しているため、アンテナ効率を向上することができる。さらに、磁界成分に加え電界成分を強く生成できるため、送信回路・グランド面パターンとの結合で電流型のモードを加えることができる。
（第７の比較例）
次に、第７の比較例を、第５の比較例との相違点を中心に説明する。
【００６８】
図１７には図１３に代わる本比較例のアンテナパターン（銅箔）を示す。本比較例においては、磁流アンテナとしてループアンテナ１００を用いている。
つまり、図１７のループアンテナ１００を図１１のリング部アンテナとして用いても、第５の比較例（図１３）と同様な効果を得ることができる。即ち、図１８に示すように、ループアンテナ１００への給電は給電点１０２ａ，１０２ｂを通して不平衡線路を使用し、さらにバラン等を用いず不平衡電流を許すものとする。このようにしてアンテナパターン１０１がグランド面パターン８１と結合している。そして、ループアンテナ１００をリング部２に使用することで送信回路・グランド面パターンと物理的に離れた配置となり、図１９に示すように、不平衡電流によりグランド面パターン８１とアンテナパターン１０１による電流アンテナのダイポールのモードを付加することができる。これより、磁流型のモードに電流型のモードを加えることができる。
【図面の簡単な説明】
【図１】  第１の比較例における携帯型無線機を示す図。
【図２】  携帯型無線機を示す斜視図。
【図３】  携帯型無線機を示す斜視図。
【図４】  パターンアンテナを示す図。
【図５】  スロットアンテナを示す図。
【図６】  第２の比較例におけるスロットアンテナの平面図。
【図７】  第２の比較例におけるスロットアンテナの平面図。
【図８】  アンテナ利得の測定結果を示す図。
【図９】  第３の比較例におけるスロットアンテナの平面図。
【図１０】  第４の比較例におけるスロットアンテナの平面図。
【図１１】  第５の比較例における携帯型無線機を示す斜視図。
【図１２】  携帯型無線機を示す斜視図。
【図１３】  第５の比較例におけるスロットアンテナの平面図。
【図１４】  等価なアンテナを示す図。
【図１５】  第６の比較例におけるスロットアンテナの平面図。
【図１６】  本発明の実施の形態におけるスロットアンテナの平面図。
【図１７】  第７の比較例におけるアンテナを示す平面図。
【図１８】  アンテナを示す図。
【図１９】  第７の比較例における等価なアンテナを示す図。
【符号の説明】
１…携帯型無線機、２…リング部、３…台座部、８…プリント基板（無線回路基板）、９…送信回路、１０…スロットアンテナ、１１…パターンアンテナ、４０…スロット、５０，５１，５２，５３…アンテナパターン、５４，５５…給電パターン、５６，５７…ジャンパ、６０，６１，６２，６３，６４，６５…アンテナパターン、６６，６７…給電パターン、６８，６９…ジャンパ、８１…グランド面パターン、８３ａ，８３ｂ…長辺パターン、８４ａ，８４ｂ…短辺パターン、８８…整合用コンデンサ、９１…スロット、９２…整合用コンデンサ。
【図１】
0004327982.tif 000002
【図２】
0004327982.tif 000003
【図３】
0004327982.tif 000004
【図４】
0004327982.tif 000005
【図５】
0004327982.tif 000006
【図６】
0004327982.tif 000007
【図７】
0004327982.tif 000008
【図８】
0004327982.tif 000009
【図９】
0004327982.tif 000010
【図１０】
0004327982.tif 000011
【図１１】
0004327982.tif 000012
【図１２】
0004327982.tif 000013
【図１３】
0004327982.tif 000014
【図１４】
0004327982.tif 000015
【図１５】
0004327982.tif 000016
【図１６】
0004327982.tif 000017
【図１７】
0004327982.tif 000018
【図１８】
0004327982.tif 000019
【図１９】
0004327982.tif 000020